(57)【要約】【課題】ステップ材と床仕上材を一体化した階段用表面被覆材において、別個のステップ材と床仕上材とを接合一体化しても、その接合部の上面及び裏面を略面一に成形できる階段用ステップ材及び排水性に優れた階段用表面被覆材とその製造方法を提供する。【解決手段】段鼻被覆部と、段鼻被覆部の一側端部より延設され階段下地の踏み面の一部を被覆する踏み面側被覆部と、段鼻被覆部の他側端部より延設された蹴上げ面被覆部と、踏み面側被覆部よりさらに延設された接合片と、を備え、接合片の先端部の厚みが踏み面側被覆部の接合片側端部の厚みより小さいとともに、接合片の先端部の厚みが接合片の他側端部の厚みより小さい階段用ステップ材とすることにより、床仕上材と重ねて接合した際に段差が生じにくく、接合部の上面及び裏面を略面一に成形することが可能となり、排水性に優れた階段用表面被覆材を得ることができる。【選択図】図１
2014218874.tif 000002
【特許請求の範囲】
【請求項１】
床仕上材と接合一体化されることで階段下地の踏み面から段鼻及び蹴上げ面にかけてその表面を被覆するための階段用表面被覆材を構成する合成樹脂製の階段用ステップ材であって、
段鼻被覆部と、
前記段鼻被覆部の一側端部より延設され前記踏み面の一部を被覆する踏み面側被覆部と、
前記段鼻被覆部の他側端部より延設された蹴上げ面被覆部と、
前記踏み面側被覆部よりさらに延設された接合片と、を備え、
前記接合片の先端部の厚みが前記踏み面側被覆部の接合片側端部の厚みより小さいとともに、
前記接合片の先端部の厚みが前記接合片の他側端部の厚みより小さいことを特徴とする階段用ステップ材。
【請求項２】
前記接合片と前記踏み面側被覆部の下地面側に対向する表面が略面一に形成され、
前記接合片の他側端部の厚みが前記踏み面側被覆部の接合片側端部の厚みより小さいことを特徴とする請求項１に記載の階段用ステップ材。
【請求項３】
前記接合片の下地面側に床仕上材の位置合わせのための目印が設けられていることを特徴とする請求項１または２に記載の階段用ステップ材。
【請求項４】
前記目印が下地面側に突出した仕切片であることを特徴とする請求項１〜３のいずれか1項に記載の階段用ステップ材。
【請求項５】
前記仕切片の下端部が踏み面側被覆部の下地面側下端より表面側に位置することを特徴とする請求項４に記載の階段用ステップ材。
【請求項６】
床仕上材の表面縁部と請求項１〜５のいずれか1項に記載の階段用ステップ材の前記接合片とが接合一体化されてなることを特徴とする階段用表面被覆材。
【請求項７】
合成樹脂製の階段用ステップ材であって、
段鼻被覆部と、
前記段鼻被覆部の一側端部より延設され前記踏み面の一部を被覆する踏み面側被覆部と、
前記段鼻被覆部の他側端部より延設された蹴上げ面被覆部と、
前記踏み面側被覆部よりさらに延設された接合片と、を備え、
前記接合片の先端部の厚みが前記踏み面側被覆部の接合片側端部の厚みより小さいとともに、
前記接合片の先端部の厚みが前記接合片の他側端部の厚みより小さい階段用ステップ材と、
床仕上材とを接合一体化してなる階段用被覆材の製造方法であって、
前記階段用ステップ材の前記踏み面側被覆部の接合片側端部と前記床仕上材の端部とを空間を隔てて対向させるとともに、
前記階段用ステップ材の前記接合片を前記床仕上材の表面縁部に重ね合わせ、
該重ね合わせ部を加熱装置により加熱しながら圧着して接合一体化することを特徴とする
階段用表面被覆材の製造方法。
【請求項８】
請求項７に記載の階段用表面被覆材の製造方法において、
前記合成樹脂製の階段用ステップ材の前記接合片の下地面側に前記床仕上材の位置合わせのための目印が設けられており、前記目印に前記床仕上材の端部をあわせて前記階段用ステップ材の前記踏み面側被覆部の接合片側端部と対向させ、
前記階段用ステップ材の前記接合片を前記床仕上材の表面縁部に重ね合わせ、
該重ね合わせ部を加熱装置により加熱しながら圧着して接合一体化することを特徴とする
階段用表面被覆材の製造方法。
【請求項９】
請求項８に記載の階段用表面被覆材の製造方法において、
前記合成樹脂製の階段用ステップ材の前記接合片の下地面側に前記床仕上材の位置合わせのために設けられた前記目印が下地面側に突出した仕切片であり、
前記仕切片に前記床仕上材の端部を当接して前記階段用ステップ材の前記踏み面側被覆部の接合片側端部と対向させ、
前記階段用ステップ材の前記接合片を前記床仕上材の表面縁部に重ね合わせ、
該重ね合わせ部を加熱装置により加熱しながら圧着して接合一体化することを特徴とする
階段用表面被覆材の製造方法。
【発明の詳細な説明】
【技術分野】
【０００１】
本発明は、階段の段鼻部を保護する階段用ステップ材と、階段用ステップ材と床仕上材とを一体化した階段用表面被覆材及びその製造方法に関する。
【背景技術】
【０００２】
従来、鉄製の階段やコンクリート製の階段には、防滑機能を発揮させるために階段段鼻部にステンレス製、ゴム製あるいは合成樹脂製の階段用ステップ材が施工される。また階段の平場部、または平場部及び蹴上部に亘ってゴム製あるいは合成樹脂製の床仕上材で覆われ、この床仕上材と段鼻部を覆う階段用ステップ材とが接合されている階段構造がある。
【０００３】
特許文献１には、滑り止め片が剥がれたり浮き上がることにより歩行者が躓き転倒事故が起き易くなることを防ぐため、接合部のシート本体と滑り止め片とを上面相互が略面一であって相互間に段差のないよう接合した階段用滑り止めシートが開示されている。この
階段用滑り止めシートは、ゴム製の滑り止め片とゴムチップ製のシート本体とをホットプレスにより接合一体化して製造される。
【０００４】
より具体的には、無数のゴムチップを固めて多孔のシート本体を形成する工程と、そのシート本体とは別個に、滑り止め片をゴム材より所定形態に成形する工程と、その滑り止め片をシート本体の側縁部上面に重ねてホットプレスにより一体的に接合することにより、シート本体の、滑り止め片と対応する部分を残余の部分よりも高密度に圧縮して該残
余の部分と滑り止め片の上面相互を略面一にする工程とを有する製造方法が開示されている。
【先行技術文献】
【特許文献】
【０００５】
【特許文献１】特開２０００−２９１２１９号公報
【発明の概要】
【発明が解決しようとする課題】
【０００６】
しかしながら、この階段用滑り止めシートは多孔のシート本体と滑り止め片を重ねホットプレスにより、多孔のシート本体と滑り止め片の重なり部分を高密度に圧縮することで重なり部分の段差を解消し、シート本体と滑り止め片の接合部の上面を略面一に成形している。したがって、ホットプレスの条件や多孔のシート本体の圧縮の程度によっては接合部の上面が略面一にならない場合がある。これにより、滑り止め片の厚みによりシート本体と滑り止め片との接合部の上面に僅かな段差が生じ、階段に施工した際その僅かな段差に雨水等が溜まり滑りやすくなるという問題がある。
また、シート本体と滑り止め片との重なり部分におけるコーナー部側の端部（接合部の裏面側）では、多孔の本体シートがホットプレスにより高密度に圧縮されてもなお、シート本体と滑り止め片との段差は解消されず、その結果、滑り止め片のコーナー部分が高くなった傾斜ができてしまう。そのためにやはり排水性が悪いという問題が生じる場合がある。
【０００７】
本発明は、上記の問題点に鑑みてなされたもので、ステップ材と床仕上材を一体化した階段用表面被覆材において、別個のステップ材と床仕上材とを接合一体化しても、その接合部の上面及び裏面を略面一に成形できる階段用ステップ材を提供するものである。また、該ステップ材と床仕上材とを一体化してなる排水性に優れた階段用表面被覆材及びその製造方法を提供する。
【課題を解決するための手段】
【０００８】
本発明は上述した課題を達成するために以下の手段を講じた。
床仕上材と接合一体化されて階段用表面被覆材を構成する階段用ステップ材において、特定の形状をした接合片を設けたことをその要旨とする。
【０００９】
具体的には以下の通りである。
床仕上材と接合一体化されることで階段下地の踏み面から段鼻及び蹴上げ面にかけてその表面を被覆するための階段用表面被覆材を構成する合成樹脂製の階段用ステップ材であって、段鼻被覆部と、前記段鼻被覆部の一側端部より延設され前記踏み面の一部を被覆する踏み面側被覆部と、前記段鼻被覆部の他側端部より延設された蹴上げ面被覆部と、前記踏み面側被覆部よりさらに延設された接合片と、を備え、前記接合片の先端部の厚みが前記踏み面側被覆部の接合片側端部の厚みより小さいとともに、前記接合片の先端部の厚みが前記接合片の他側端部の厚みより小さいことを特徴とする階段用ステップ材である。
【００１０】
さらに前記接合片と前記踏み面側被覆部の下地面側に対向する表面が略面一に形成され、前記接合片の他側端部の厚みが前記踏み面側被覆部の接合片側端部の厚みより小さいことを特徴とする階段用ステップ材である。
【００１１】
またさらには前記接合片の下地面側に床仕上材の位置合わせのための目印が設けられていることであり、また前記目印が下地面側に突出した仕切片であることを特徴とする階段用ステップ材である。
【００１２】
そして床仕上材の表面縁部と上記のような階段用ステップ材の接合片とが接合一体化されてなる階段用表面被覆材である。
【００１３】
また、合成樹脂製の階段用ステップ材であって、段鼻被覆部と、前記段鼻被覆部の一側端部より延設され前記踏み面の一部を被覆する踏み面側被覆部と、前記段鼻被覆部の他側端部より延設された蹴上げ面被覆部と、前記踏み面側被覆部よりさらに延設された接合片と、を備え、前記接合片の先端部の厚みが前記踏み面側被覆部の接合片側端部の厚みより小さいとともに、前記接合片の先端部の厚みが前記接合片の他側端部の厚みより小さい階段用ステップ材と、床仕上材とを接合一体化してなる階段用被覆材の製造方法であって、前記階段用ステップ材の前記踏み面側被覆部の接合片側端部と前記床仕上材の端部とを空間を隔てて対向させるとともに、前記階段用ステップ材の前記接合片を前記床仕上材の表面縁部に重ね合わせ、該重ね合わせ部を加熱装置により加熱しながら圧着して接合一体化することを特徴とする階段用表面被覆材の製造方法である。
【００１４】
さらには、前記合成樹脂製の階段用ステップ材の前記接合片の下地面側に前記床仕上材の位置合わせのための目印が設けられており、前記目印に前記床仕上材の端部をあわせて前記階段用ステップ材の前記踏み面側被覆部の接合片側端部と対向させ、前記階段用ステップ材の前記接合片を前記床仕上材の表面縁部に重ね合わせ、該重ね合わせ部を加熱装置により加熱しながら圧着して接合一体化することを特徴とする階段用表面被覆材の製造方法であり、前記合成樹脂製の階段用ステップ材の前記接合片の下地面側に前記床仕上材の位置合わせのために設けられた前記目印が下地面側に突出した仕切片であり、前記仕切片に前記床仕上材の端部を当接して前記階段用ステップ材の前記踏み面側被覆部の接合片側端部と対向させ、前記階段用ステップ材の前記接合片を前記床仕上材の表面縁部に重ね合わせ、該重ね合わせ部を加熱装置により加熱しながら圧着して接合一体化することを特徴とする階段用表面被覆材の製造方法である。
【発明の効果】
【００１５】
段鼻被覆部と、段鼻被覆部の一側端部より延設され階段下地の踏み面の一部を被覆する踏み面側被覆部と、段鼻被覆部の他側端部より延設された蹴上げ面被覆部と、踏み面側被覆部よりさらに延設された接合片と、を備え、接合片の先端部の厚みが踏み面側被覆部の接合片側端部の厚みより小さいとともに、接合片の先端部の厚みが接合片の他側端部４２の厚みより小さい階段用ステップ材とすることにより、床仕上材と重ねて接合した際に段差が生じにくく、接合部の上面及び裏面を略面一に成形することが可能となり、十分な接合強度が確保できる。
【００１６】
さらに接合片と踏み面側被覆部の下地面側に対向する表面が略面一に形成され、接合片の他側端部４２の厚みが踏み面側被覆部の接合片側の端部の厚みより小さいことにより、厚みのある床仕上材と接合する際にも段差が生じにくく、また接合部がきれいな仕上がりとなる。
【００１７】
また接合片の下地面側に床仕上材の位置合わせのための目印が設けられていることにより床仕上材の位置合わせが容易となるとともに、階段用ステップ材と床仕上材とを溶融接着により接合する際に床仕上材の位置が適正でないために床仕上材の溶融物が裏面側に飛び出して段差が生じるような不具合を防止することができる。
目印として、接合片の下地面側に突出した仕切片を設けることで、床仕上げ材の位置合わせの際に仕切片がガイドとして機能し、位置合わせがより容易で正確となる。また仕切片の下端部が踏み面側被覆部の下地面側下端より表面側に位置するように設けることで、階段用ステップ材と床仕上材とを溶融接着により接合する際に床仕上材の溶融物が仕切片の裏側の空間へ移動する流路が確保でき、接合部に段差が生じず略面一に成形できる。
【００１８】
そして床仕上材の表面縁部と上記のような階段用ステップ材の接合片とが接合一体化されてなる階段用表面被覆材は接合部の上面及び裏面が略面一となり段差がないため、排水性に優れたものとなる。
【００１９】
そして合成樹脂製の階段用ステップ材であって、段鼻被覆部と、段鼻被覆部の一側端部より延設され踏み面の一部を被覆する踏み面側被覆部と、段鼻被覆部の他側端部より延設された蹴上げ面被覆部と、踏み面側被覆部よりさらに延設された接合片と、を備え、接合片の先端部の厚みが踏み面側被覆部の接合片側端部の厚みより小さいとともに、接合片の先端部の厚みが接合片の他側端部の厚みより小さい階段用ステップ材と、床仕上材とを接合一体化してなる階段用被覆材の製造方法であって、階段用ステップ材の踏み面側被覆部の接合片側端部と床仕上材の端部とを空間を隔てて対向させるとともに、階段用ステップ材の接合片を床仕上材の表面縁部に重ね合わせ、該重ね合わせ部を加熱装置により加熱しながら圧着して接合一体化するという階段用表面被覆材の製造方法を採用することにより、段差がなく排水性及び耐久性に優れた階段用表面被覆材を得ることができ
る。
【図面の簡単な説明】
【００２０】
【図１】本発明の実施形態に係る階段用ステップ材の一実施例を示す断面図（１−１）および接合片部分の拡大断面図（１−２）である。
【図２】図１の階段用ステップ材と床仕上材とを接合一体化する工程の概略図（２−１）および本発明の実施形態に係る階段用表面被覆材の一実施例を示す断面図（２−２）である。
【図３】本発明の実施形態に係る階段用ステップ材の他の実施例を示す断面図（３−１）および接合片部分の拡大断面図（３−２）である。
【図４】図３の階段用ステップ材と床仕上材とを接合一体化する工程の概略図（４−１）および本発明の実施形態に係る階段用表面被覆材の他の実施例を示す断面図（４−２）である。
【図５】本発明の実施形態に係る階段用ステップ材の仕切片の他の態様を示した拡大断面図である。
【図６】図３の階段用ステップ材と床仕上材とを接合一体化した階段用表面被覆材の接合部の他の態様を示した拡大断面図である。
【図７】本発明の実施形態に係る階段用ステップ材の接合片の態様と床仕上材を収納可能な空間とを示した拡大断面図である。
【発明を実施するための形態】
【００２１】
以下、本発明の実施形態を図面に基づいて説明する。
【００２２】
ステップ材Ａは、階段下地の段鼻と踏み面の一部および蹴上げ面の一部を覆う部材であり、図１に示すように段鼻被覆部１と段鼻被覆部１の一側端部より延設された踏み面側被覆部２と、段鼻被覆部１の他側端部より延設された蹴上げ面被覆部３とを備えた断面略Ｌ字形状の部材である。ステップ材Ａの幅は施工する階段の幅に合わせて設定され、一般的には９００〜２０００ｍｍ程度の幅である。蹴上げ面被覆部３の高さは２０〜７０ｍｍ程度であり、踏み面側被覆部２の長さは４０〜１００ｍｍ程度である。
【００２３】
またステップ材Ａの踏み面側被覆部２の外側表面には滑り止めとして凹凸が形成されている。例えば図１のステップ材Ａ１は、踏み面側被覆部２の外側表面にその幅方向に平行な直線状の凹凸が複数形成されている。凸部の高さは０．５〜２．０ｍｍ程度である。
また段鼻被覆部１には、段鼻部分の視認性や意匠性の向上を目的としてライン状の視認部等を設けてもよい。
【００２４】
ステップ材Ａは図２に示すように床仕上材Ｃと接合一体化されて階段用表面被覆材Ｂを構成する。そして本発明のステップ材Ａは床仕上材Ｃと接合するための接合片４が設けられている。図１に示した接合片４の長さＬ１は５ｍｍ〜５０ｍｍ程度であり、幅方向に連続して設けられている。
【００２５】
接合片４の先端部４１の厚みＴ１は踏み面側被覆部２の接合片側端部の厚みＴ２より小さく形成されている。踏み面側被覆部２の厚みＴ２が通常１．０ｍｍ〜５．０ｍｍ程度であるのに対し、接合片４の先端部４１の厚みＴ１は０．１ｍｍ〜０．５ｍｍ程度であり、好ましくは０．２ｍｍ〜０．４ｍｍである。
また接合片４は、先端部４１の厚みＴ１が他側端部４２の厚みＴ３より小さく形成されている。先端部４１の厚みＴ１が他側端部４２の厚みＴ３より小さいことにより、接合部の端部に段差が生じにくくなるとともに十分な接合強度を確保することができる。
接合片４の他側端部４２の厚みＴ３は０．７ｍｍ〜５．０ｍｍ程度であり、好ましくは０．７ｍｍ〜２．５ｍｍである。
このように接合片４の先端部４１の厚みＴ１が踏み面側被覆部の接合片側端部の厚みＴ２および接合片４の他側端部４２の厚みＴ３より小さいステップ材Ａとすることにより、接合片４の下地面側には床仕上材Ｃを収納する空間Ｆが設けられるので、接合片４と床仕上材Ｃとを重ねて接合する際にその接合部の端部に段差が生じにくくなる。
【００２６】
また図１に示す例では、接合片４の他側端部４２の厚みＴ３が踏み面側被覆部２の接合片側端部の厚みＴ２より小さく形成されている。接合片４の他側端部４２の厚みＴ３が踏み面側被覆部２の接合片側端部の厚みＴ２より小さいステップ材Ａとすることにより、接合片４の下地面側により大きな空間Ｆが確保されるので、厚みの大きい床仕上材と接合する際にも接合部の端部に段差が生じにくくなる。
ここで、空間Ｆについて図７を用いて説明する。図７（７−１）は接合片４の先端部４１の厚みＴ１が踏み面側被覆部の接合片側端部の厚みＴ２および接合片４の他側端部４２の厚みＴ３より小さく、踏み面側被覆部の接合片側端部の厚みＴ２と接合片４の他側端部４２の厚みＴ３が等しいものであり、接合片４の下地面側には空間Ｆ１を有している。図７（７−２）は踏み面側被覆部の接合片側端部の厚みＴ２より接合片４の他側端部４２の厚みＴ３が小さくなっており、接合片４の下地面側にある空間Ｆ２は図７（７−１）の空間Ｆ１より大きくなり、より厚みの大きい床仕上材を収納することが可能となる。
【００２７】
図１に示す例では、接合片４は踏み面側被覆部２の段鼻被覆部１側と反対側の端部より延設されており、その配置としては接合片４と踏み面側被覆部２の下地面側に対向する表面が略面一に形成されている。接合片４と踏み面側被覆部２の下地面側に対向する表面が略面一に形成されているステップ材Ａとすることにより、接合片４と床仕上材Ｃとを重ねて接合する際に床仕上材Ｃの端部を特別加工することなく接合でき、また接合部がきれいな仕上がりとなり外観に優れた階段用表面被覆材が得られる。
【００２８】
接合片４には、その下地面側に、床仕上材Ｃと接合一体化する際に床仕上材の位置決めを行うための目印を設けておいてもよい。目印は接合片４にあらかじめ記した線、点、その他印などの標示でも良く、また立体的に設けたものでも良い。
目印を設ける場所は接合片４の踏み面側被覆部２側端部の付近であり、接合片４の踏み面側被覆部２側端部よりやや内側に設けられる。床仕上材Ｃやステップ材Ａの踏み面側被覆部２の厚みまたは接合片４の厚みにもよるが、通常は接合片４の踏み面側被覆部２側端部から０．５ｍｍ〜５．０ｍｍ程度内側に設けられる。
【００２９】
図３には本発明の他の実施例にかかるステップ材Ａ２を示している。図３のステップ材Ａ２は床仕上材Ｃの位置決めを行うための目印として、接合片４の下地面側に突出して立体的に形成された仕切片５が設けられている。仕切片５の形状は様々な形状を取ることができ、図3に示すような断面が略三角形のものや、図５のような矩形、嘴形状などが挙げられ、床仕上材Ｃの端部を当接して位置を確認できるような平面部を有する形状が好ましい。また仕切片５と踏み面側被覆部２の接合片４側端部の間には空間Ｅ２があることが好ましく、この空間Ｅ２があることにより、床仕上材Ｃと接合片４とを溶融接着により接合する場合において、下地面側に飛び出した床仕上材Ｃの溶融物が収まり段差なく接合することが可能となる。
【００３０】
仕切片５はその下端部が踏み面側被覆部２の下地面側下端より表面側に位置していることが好ましい。具体的には仕切片５の下端部が踏み面側被覆部２の下地面側下端より０．３ｍｍ〜２．０ｍｍ程度表面側に位置していることが好ましい。これにより床仕上材Ｃと接合片４とを溶融接着により接合する場合において、下地面側に飛び出した床仕上材Ｃの溶融物が空間Ｅへ収容されるための流路が確保される。
【００３１】
ステップ材Ａの材質は耐久性や成形性に優れる合成樹脂であればよいが、床仕上材Ｃが熱可塑性樹脂製の場合に床仕上材との接合手段として溶融接着を採用することが可能となることから熱可塑性エラストマーを含む熱可塑性樹脂が好適に使用できる。
具体的には塩化ビニル系樹脂などの含ハロゲン系樹脂、ポリエチレン、ポリプロピレン、エチレン−酢酸ビニル共重合体、エチレン−（メタ）アクリル酸エステル共重合体などのオレフィン系樹脂、アクリル系樹脂、ウレタン系樹脂、オレフィン系、スチレン系、アクリル系、ポリエステル系、ウレタン系などの熱可塑性エラストマー、および合成ゴムなどから選ばれた１種または２種以上を混合してなる合成樹脂などを挙げることができる。さらにこれらの樹脂には、必要に応じて、可塑剤、安定剤、難燃剤、充填剤、酸化防止剤、紫外線吸収剤、光安定剤、発泡剤、着色剤、加工助剤、滑剤、抗菌剤、防カビ剤、意匠付与材などの添加剤を添加することができる。
【００３２】
ステップ材Ａは、カレンダー圧延成形、押出成形、射出成形、回転成形、粉体焼結成形、液状ペースト流展成形、熱プレス成形などで製造することができ、その中でも、略Ｌ字形状であっても残留歪みが小さく、且つ接合片４や防滑性付与のための凹凸を金型で容易に設計できるということを考慮すれば、ステップ材Ａの製造方法としては押出成形、射出成形、およびプレス成形が好ましい。
【００３３】
これより階段用表面被覆材Ｂとその製造方法について説明する。
【００３４】
階段用表面被覆材Ｂは階段用ステップ材Ａと床仕上材Ｃを接合一体化して形成される。床仕上材Ｃの種類に特に制限はないが、階段用ステップ材Ａと同様、耐久性に優れ、さらにステップ材Ａが熱可塑性樹脂製の場合には接合手段として溶融接着を採用することが可能となることから熱可塑性エラストマーを含む熱可塑性樹脂製の床仕上材が好適である。
具体的には塩化ビニル系樹脂などの含ハロゲン系樹脂、ポリエチレン、ポリプロピレン、エチレン−酢酸ビニル共重合体、エチレン−（メタ）アクリル酸エステル共重合体などのオレフィン系樹脂、アクリル系樹脂、ウレタン系樹脂、オレフィン系、スチレン系、アクリル系、ポリエステル系、ウレタン系などの熱可塑性エラストマー、および合成ゴムなどから選ばれた１種または２種以上を混合してなる合成樹脂などを挙げることができる。さらにこれらの樹脂には、必要に応じて、可塑剤、安定剤、難燃剤、充填剤、酸化防止剤、紫外線吸収剤、光安定剤、発泡剤、着色剤、加工助剤、滑剤、抗菌剤、防カビ剤、意匠付与材などの添加剤を添加することができる。
【００３５】
床仕上材Ｃは単層からなるもの、多層からなるもののいずれでもよく、層構造に特に制限はない。発泡層を有する柔軟な発泡床材のようなものから、発泡層のないビニル床材のような一般的な熱可塑性樹脂製シート床材、またタイルのような硬質のものまで、幅広い床仕上材を使用することができる。ステップ材Ａと接合する床仕上材Ｃの端部は、ステップ材Ａの接合片４に見合った形状に加工してもよいが、特段端部に加工を施さなくてもよい。床仕上材Ｃの表面、特に階段の踏み面に施工される部分には滑り防止のための凹凸が設けられていることが好ましい。
【００３６】
階段用表面被覆材Ｂは、図２に示すように階段用ステップ材Ａの接合片４と床仕上材Ｃとを、５〜５０ｍｍの接合幅で接合一体化して形成される。階段用ステップ材Ａの接合片４と床仕上材Ｃとの接合は、接着剤や粘着剤などを介したものや、接合部を加熱しながら圧着する溶融接着や、接合面を溶剤などで溶かして圧着する液溶接などで行うことができ、作業性と接合強度から溶融接着が好ましく用いられる。
【００３７】
溶融接着の加熱方式は、熱風、ヒートシールおよび誘電加熱などの何れでもよく、誘電加熱には、超音波、高周波、低周波ウエルドおよび電磁誘導加熱などの方法が含まれ、ステップ材Ａと床仕上材Ｃが含ハロゲン系樹脂製の場合には、短時間で接合できる高周波ウエルド及び電磁誘導加熱の加熱方式が好ましい。前述のような加熱方式を用いた加熱装置により接合部を加熱する。
【００３８】
熱可塑性樹脂製の階段用ステップ材Ａと熱可塑性樹脂製の床仕上材Ｃとを溶融接着により接合する際、床仕上材Ｃの溶融物が裏面側に飛び出して接合部の裏面に段差ができてしまう場合がある。図２のように床仕上材Ｃの表面縁部に階段用ステップ材Ａの接合片４を重ね合わせ、該重ね合わせ部を加熱装置により加熱しながら圧着して接合一体化するが、この重ね合わせ部の長さＬ２を接合片４の長さＬ１より小さくすることにより、接合部の上面及び裏面が略面一となり段差がない階段用表面被覆材を得ることができる。つまり、加熱された床仕上材Ｃの溶融物の一部が重ね合わせ部の長さＬ２を接合片４の長さＬ１より小さくすることにより形成された空間Ｅ１へ移動して収容されることで、裏面に段差ができることなく接合することが可能となる。
【００３９】
また図３のステップ材Ａ２の場合、図４に示すように接合片４の先端部４１から他側端部４２の間に設けられた仕切片５に床仕上材Ｃの表面端部を当接するようにしてステップ材Ａ２の接合片４を床仕上材Ｃの表面縁部に重ね合わせて溶融接着することにより、加熱された床仕上材Ｃの溶融物の一部が仕切片５の端部と接合片４の他側端部４２との間の接合片４の下部に形成された空間Ｅ２へ移動し収容されることで、裏面に段差ができることなく接合することが可能となる。また仕切片５は接合前に床仕上材Ｃの表面縁部をステップ材Ａ２の接合片４と重ねる際のガイドとして機能するため、接合時の位置合わせが容易となる。
【００４０】
以下、実施例を挙げて具体的に説明する。
【実施例１】
【００４１】
図１には本発明のステップ材Ａの一実施形態であるステップ材Ａ１が図示されている。ステップ材Ａ１は塩化ビニル系樹脂製であり、押出成形により一体的に形成されている。図１（１−１）に示すようにステップ材Ａ１は段鼻被覆部１と、踏み面側被覆部２と、蹴上げ面被覆部と、踏み面側被覆部３と、接合片４から構成されている。図１（１−２）に示すように接合片４の先端部４１の厚みＴ１が接合片４の他側端部４２の厚みＴ３より小さく、接合片４の他側端部４２の厚みＴ３は踏み面側被覆部の接合片側端部の厚みＴ２より小さく形成されている。
【００４２】
図２の（２−１）はステップ材Ａ１と塩化ビニル樹脂製の床仕上材Ｃとを高周波ウェルダーにより接合する工程を図示したものである。まずステップ材Ａ１の接合片４を床仕上材Ｃの表面縁部に重ね合わせる。このとき重ね合わせ部の長さＬ２は接合片４の長さより短くなるように重ねており、これにより接合片４の裏面に空間Ｅ１ができている。この重ね合わせ部と空間Ｅ１とを覆うように高周波ウェルダーの刃Ｄ１をあてがい、溶融接着する。
図２の（２−２）は（２−１）の工程により得られた階段用表面被覆材Ｂ１である。床仕上材Ｃの溶融物の一部が空間Ｅ１に収容され一体的に接合されており、接合部の上面及び裏面が略面一となり段差なく成形されており、排水性に優れたものである。
【実施例２】
【００４３】
図３には本発明のステップ材Ａの他の実施形態であるステップ材Ａ２が図示されている。ステップ材Ａ２はステップ材Ａ１と同様に塩化ビニル系樹脂製であり、押出成形により一体的に形成されている。ステップ材Ａ２は接合片４の下地面側に仕切片５が設けられている以外は、ステップ材Ａ１と同様に構成されている。仕切片５と踏み面側被覆部２の端部との間には空間Ｅ２が設けられている。
ステップ材Ａ２の仕切片５は断面略三角形の形状をしているが、仕切片５の他の形状例として図５（５−１）に示すような断面が矩形状のものや図５（５−２）に示すような断面が略嘴形状のようなものが挙げられる。
ステップ材Ａ２の仕切片５の下端部は踏み面側被覆部２の下地面側下端より表面側に位置している。
【００４４】
図４の（４−１）はステップ材Ａ２と塩化ビニル樹脂製の床仕上材Ｃとを高周波ウェルダーにより接合する工程を図示したものである。まずステップ材Ａ２の接合片４を床仕上材Ｃの表面縁部に重ね合わせる。このとき床仕上材Ｃの端部を仕切片５に当接させるようにして接合片４を床仕上材Ｃの表面縁部に重ね合わせる。この重ね合わせ部と空間Ｅ２とを覆うように高周波ウェルダーの刃Ｄ１をあてがい、溶融接着する。
図４の（４−２）は（４−１）の工程により得られた階段用表面被覆材Ｂ２である。床仕上材Ｃの溶融物の一部が空間Ｅ２に移動し収容され一体的に接合されており、接合部の上面及び裏面が略面一となり段差なく成形されており、排水性に優れたものである。
【００４５】
また図４の（４−１）の工程により得られた階段用表面被覆材Ｂ２は図４（４−２）のように床仕上材Ｃの溶融物の一部が空間Ｅ２に移動し収容されるものに限らず、図６に示すように仕切片５が空間Ｅ２側に押し倒される状態となり、それにより新たに形成された空間に床仕上材Ｃの溶融物の一部が収容され一体的に接合され、接合部の上面及び裏面が略面一となり段差なく成形され、排水性に優れた階段用表面被覆材となる形態も取ることができる。
【産業上の利用可能性】
【００４６】
本発明の階段用ステップ材と床仕上材とを一体化した階段用表面被覆材及びその製造方法によれば、接合部の上面及び裏面が略面一となり段差なく成形することが可能となり、排水性に優れた階段用表面被覆材を得ることが可能となる。
【符号の説明】
【００４７】
Ａ  階段用ステップ材
１  段鼻被覆部
２  踏み面側被覆部
３  蹴上げ面被覆部
４  接合片
４１  先端部
４２  他側端部
５  仕切片
Ｂ  階段用表面被覆材
Ｃ  床仕上材
Ｄ  加熱装置
【図１】
2014218874.tif 000003
【図２】
2014218874.tif 000004
【図３】
2014218874.tif 000005
【図４】
2014218874.tif 000006
【図５】
2014218874.tif 000007
【図６】
2014218874.tif 000008
【図７】
2014218874.tif 000009